(57)【要約】【課題】歯科治療に際して、治療時に口腔内からの飛散物を効果的に隔離することが可能な歯科診察台用の隔離装置を提供する。【解決手段】隔離装置１は、基台３と、仰向け状態の患者の上半身を覆うように設置される透明なバリアシート２０と、基台３に設置され、バリアシート２０を患者の上半身に対して一定間隔おいて着脱可能に支持する支持部材６，６Ａと、を有する。バリアシート２０の両側面には、仰向け状態の患者の口腔内の治療を可能にする開口部２２が形成されており、支持部材６，６Ａは、患者が起き上がる際に干渉しないように、支持されたバリアシート２０が回動可能となるように基台３に取り付けられている。【選択図】  図１
0003228808.tif 000002
【実用新案登録請求の範囲】
【請求項１】
患者を仰向け状態にして歯科治療を行なうことを可能にする歯科診察台に関連して設置される隔離装置であって、
基台と、
前記仰向け状態の患者の上半身を覆うように設置される透明なバリアシートと、
前記基台に設置され、前記バリアシートを、患者の上半身に対して上面側、両側面側、頭部の正面側を一定間隔おいて着脱可能に支持する支持部材と、
を有し、
前記患者の上半身を覆うように設置されるバリアシートの両側面側には、仰向け状態の患者の口腔内の治療を可能にする開口部が形成されており、
前記支持部材は、患者が起き上がる際に干渉しないように、支持されたバリアシートが回動可能となるように前記基台に取り付けられていることを特徴とする歯科診察台用の隔離装置。
【請求項２】
前記基台は、床面に設置される設置部と、設置部から上方に向けて延出する支柱と、前記支持部材が取り付けられ、前記支柱に水平方向に向けて取り付けられる保持部と、を備え、
前記保持部は、高さ位置が調節可能であると共に、水平面内で一定角度、回動可能に前記支柱に取り付けられていることを特徴とする請求項１に記載の歯科診察台用の隔離装置。
【請求項３】
前記支持部材は、前記バリアシートが載置される一対のロッドを備えており、
前記一対のロッドは、前記保持部に対して先端側が上昇するように取り付けられることを特徴とする請求項２に記載の歯科診察台用の隔離装置。
【請求項４】
前記一対のロッドは、前記保持部に対して先端側が離間するように取り付けられることを特徴とする請求項３に記載の歯科診察台用の隔離装置。
【請求項５】
前記保持部は、水平方向の軸心回りに回動可能に取り付けられていることを特徴とする請求項３又は４に記載の歯科診察台用の隔離装置。
【請求項６】
患者を仰向け状態にして歯科治療を行なうことを可能にする歯科診察台に関連して設置され、着脱ネジを具備し上下方向及び水平軸周りに対して回動可能な台座を有する三脚に対して装着可能な隔離装置であって、
前記着脱ネジが螺合可能な雌螺子部を備えた保持部に取り付けられた支持部材と、
前記仰向け状態の患者の上半身を覆うように設置される透明なバリアシートと、
を有し、
前記支持部材は、前記バリアシートを、患者の上半身に対して上面側、両側面側、頭部の正面側を一定間隔おいて着脱可能に支持し、
前記バリアシートの両側面側には、仰向け状態の患者の口腔内の治療を可能にする開口部が形成されていることを特徴とする歯科診察台用の隔離装置。
【請求項７】
前記バリアシートに形成される開口部はスリットであることを特徴とする請求項１から６のいずれか１項に記載の歯科診察台用の隔離装置。
【考案の詳細な説明】
【技術分野】
【０００１】
本考案は、歯科医院において、歯の治療を受ける際に用いられる歯科診察台用の隔離装置に関する。
【背景技術】
【０００２】
歯科医院において治療を受ける際、患者は、例えば、特許文献１に開示されているような歯科診察台に着座する。通常、歯科診察台は、患者が座る着座部、背中を支える背板部、頭部を支えるヘッドレスト、脚部を支持するフットレストを備えており、背板部をリクライニングすることで、患者は、略フラットな状態で治療を受けることが可能となっている。すなわち、歯科医は、仰向けに寝た状態の患者の口腔内に、各種の治療用機器を挿入して歯の診断、治療等を行なう。
【先行技術文献】
【特許文献】
【０００３】
【特許文献１】特開２０１９−１９３６９６号
【考案の概要】
【考案が解決しようとする課題】
【０００４】
ところで、最近のコロナ禍の影響によって、患者及び歯科医は、安心して治療を受ける（治療を行なう）ことが困難な状況になっている。歯科の治療では、各種のハンドピースを口腔内に挿入して、歯の切削、水やエアを噴射する等、その周囲に飛散物が拡散するという問題がある。特に、上記した歯科診察台が複数台、並設されているような歯科医院では、隣接治療を行なう上で、感染の問題が大きくなってしまう。
【０００５】
本考案は、歯科治療に際して、治療時に口腔内からの飛散物を効果的に隔離することが可能な歯科診察台用の隔離装置を提供することを目的とする。
【課題を解決するための手段】
【０００６】
上記した目的を達成するために、本考案は、患者を仰向け状態にして歯科治療を行なうことを可能にする歯科診察台に関連して設置される隔離装置であって、基台と、前記仰向け状態の患者の上半身を覆うように設置される透明なバリアシートと、前記基台に設置され、前記バリアシートを、患者の上半身に対して上面側、両側面側、頭部の正面側を一定間隔おいて着脱可能に支持する支持部材と、を有し、前記患者の上半身を覆うように設置されるバリアシートの両側面側には、仰向け状態の患者の口腔内の治療を可能にする開口部が形成されており、前記支持部材は、患者が起き上がる際に干渉しないように、支持されたバリアシートが回動可能となるように前記基台に取り付けられていることを特徴とする。
【０００７】
上記した隔離装置は、患者が歯科診察台に仰向けになった状態で設置される。患者に対しては、上半身に対して一定間隔をおいて覆うように透明なバリアシートが支持部材によって設置され、そのバリアシートの両側面側には、口腔内の治療が行えるように開口部が形成されている。このため、歯科医が開口部を介して腕を挿入して口腔内を治療、診断する際、治療器具によって水滴やエアが飛散しても、バリアシートによって抑えられ、感染等の問題が生じることはない。また、歯科診察台の背板部を回動させても、前記バリアシートは、支持部材と共に回動可能に支持されているため、背板部を回動しても患者と干渉することもない。
【０００８】
また、本考案の隔離装置は、一般的に知られている三脚（カメラ用の三脚）の台座に設置できるように構成することが可能である。すなわち、そのような隔離装置は、三脚の台座に設けられている着脱ネジが螺合可能な雌螺子部を備えた保持部に取り付けられた支持部材と、前記仰向態の患者の上半身を覆うように設置される透明なバリアシートと、を有し、前記支持部材は、前記バリアシートを患者の上半身に対して一定間隔おいて着脱可能に支持し、前記バリアシートの両側面側には、仰向け状態の患者の口腔内の治療を可能にする開口部が形成されていることを特徴とする。
【考案の効果】
【０００９】
本考案の歯科診察台用の隔離装置によれば、歯科治療に際して、治療時に口腔内からの飛散物を効果的に隔離することが可能となる。
【図面の簡単な説明】
【００１０】
【図１】本考案に係る歯科診察台用の隔離装置の第１の実施形態を示す図であり、使用状態を側方から見た斜視図。
【図２】図１に示す隔離装置を正面側から見た斜視図。
【図３】隔離装置に用いられるバリアシートを示し、（ａ）は展開図、（ｂ）は設置状態を示す図。
【図４】（ａ）は仰向けの患者に対する設置状態を示す図、（ｂ）はバリアシートを回動した状態を示す図。
【図５】基台の構成を示す側面図。
【図６】（ａ）は、図５のＡ−Ａ線に沿った断面図、（ｂ）は、図５のＢ−Ｂ線に沿った断面図。
【図７】基台の構成を示す平面図。
【図８】（ａ）は、保持部に対する支持部材の取り付け部分を軸方向から見た図、（ｂ）は、保持部に対する支持部材の取り付け部分を上方から見た図。
【図９】本考案に係る歯科診察台用の隔離装置の第２の実施形態を示す図であり、（ａ）は仰向けの患者に対する設置状態を示す図、（ｂ）はバリアシートを回動した状態を示す図。
【図１０】（ａ）は、図９に示す隔離装置の支持部材及び保持部の構成を示す図、（ｂ）は、保持部を三脚に取り付けた状態を示す図。
【図１１】隔離装置の第２実施形態の変形例を示す図であり、（ａ）は、斜視図、（ｂ）は、上面図、（ｃ）は、側面図。
【考案を実施するための形態】
【００１１】
以下、本考案に係る歯科診察台用の隔離装置の実施形態について説明する。
図１から図８は、歯科診察台用の隔離装置の第１の実施形態を示す図である。
【００１２】
図１及び図２に示すように、本考案に係る隔離装置１は、一般的な歯科医院内に設置された治療用の歯科診察台１００に関連して設置される。歯科診察台１００は、公知のように、患者２００が座る着座部１０１、背中を支える背板部１０２、頭部を支えるヘッドレスト１０３、足を支えるフットレスト１０４を備えており、これらは略フラットにすることができ、患者２００は仰向けの状態で治療を受けることが可能となっている。背板部１０２は、リクライニング機能を備えており、治療行為以外のときは、患者は椅子に座った状態となる。本考案の隔離装置１は、歯科診察台１００がフラットにされた状態でヘッドレスト１０３側に設置される。
【００１３】
本実施形態の隔離装置１は、フレーム状の基台３を備えている。基台３は、床面に設置される設置部４と、上方に向けて延出する支柱５と、後述するバリアシート２０を着脱可能に支持する支持部材６が取り付けられる保持部７とを備えている。
【００１４】
前記設置部４は、金属製で断面矩形状のパイプ部材によってコの字状に形成されており、その裏面側には、隔離装置１を容易に移動できるようにキャスター４ａが取り付けられている。また、前記支柱５は、設置部と同様な構成で、設置部４の屈曲部から垂直方向に立設されており、その内部には、軸方向に沿って摺動可能となるように、支柱の一部を構成するロッド５Ａが収容されている。このロッド５Ａは、図５及び６（ａ）に示すように、ロック機構４０によって、支柱５に対して任意の位置に伸縮させた状態でその位置を固定できるようになっている。このため、保持部７の高さ位置については、調節可能となっている。
【００１５】
前記ロック機構４０は、図５及び図６（ａ）に示すように、支柱５の上端位置に固定され、前記ロッド５Ａを囲繞すると共に、ロックレバー５ａによってロッド５Ａに対する締め付け力が変更できるロック部材（リング部材）５ｂを備えている。すなわち、ロック部材５ｂは、径方向に隣接して突出される一対の突片５ｃを備えており、この突片５ｃには、ロックレバー５ａの雄螺子部５ｄが挿通されて、ロックレバー５ａを回転操作することで、ロック部材５ｂは、ロッド５Ａに対する締め付け力が変更できるようになっている。このため、ロックレバー５ａによってロック部材５ｂが緩められると、ロッド５Ａは支柱５に対して上下方向に摺動可能となり、ロック部材５ｂがロックレバー５ａの回転操作によって締め付けられると、ロッド５Ａの位置が固定でき、ロッド５Ａの上端に取り付けられている保持部７の高さは調節できるようになっている。
【００１６】
前記ロッド５Ａの上端部には、回動固定部材５Ｂが取り付けられている。この回動固定部材５Ｂは、以下のように、前記保持部７を水平方向に突出させて支持すると共に、保持部７を水平方向の軸心（Ｘ）周りに回動させて２つの位置で固定する機能を備えている。また、前記ロック部材５ｂの上面側、及び、前記回動固定部材５Ｂの下面側にゴム部材５Ｃ，５Ｄを取り付けておくことで、ロッド５Ａの伸縮時に、手を挟まないようにすることが可能である。
【００１７】
前記回動固定部材５Ｂには、側部に回動基部８が水平方向の軸心周りに回動可能に取り付けられており、回動基部８には、前記保持部７が水平方向に延出するように支持されている。前記保持部７は、断面が矩形形状の直方体形状（角柱状）に形成されており、回動固定部材５Ｂに対して、回動機構５０によって、回動基部８と共に水平方向の軸心周り（図１，図４（ｂ）の矢印方向）に回動可能に支持されている。なお、この保持部７は、使用状態では、前記設置部４を移動することで、患者２００の頭部側で、患者に対して直交する方向に位置付けされる。
【００１８】
前記回動機構５０は、回動固定部材５Ｂの上面に突出するように取り付けられるロックノブ５１と、前記回動基部８から回動部材５Ｂの内部に突出する円柱状のロック部材５２とを備えている。ロック部材５２の外周面には、図６（ｂ）で示すように、９０度間隔で径方向に凹溝５２ａ，５２ｂが形成されており、これらの凹溝には、ロックノブ５１の係合突部５１ａが嵌合可能となっている。この場合、ロックノブ５１は、バネ等の付勢部材（図示せず）によって係合突部５１ａが凹溝に嵌合できるように付勢されており、ロックノブ５１を付勢力に抗して引き上げることで係合関係が外れ、ロックノブ５１の引き上げを解除することで、係合突部５１ａが凹溝５２ａ又は凹溝５２ｂのいずれかに嵌合可能となっている。すなわち、保持部７は、ロックノブ５１を引き上げ操作して、回動基部８を矢印方向に回動させることで、９０度異なる位置で固定できるようになっている。
【００１９】
前記保持部７は、水平面内で一定角度回動可能に支持されている。具体的には、保持部７の基端側と、回動基部８との間には、水平回動機構６０が設けられており、保持部７は、図７の実線で示す設定位置（図１，２に示すように、患者に対して設定される位置）から、一定角度（本実施形態では±３０度とされている）、水平面内で回動可能に支持されている。
【００２０】
前記水平回動機構６０は、前記保持部７の基端部を回動基部８に対して回動可能に軸支する垂直支軸６１と、垂直支軸６１の外周面に形成された雄螺子部に取り付けられる操作レバー６２と、前記保持部７及び回動基部８を上下面で挟持する挟持プレート６３とを備えている。このような水平回動機構６０は、操作レバー６２を回転操作することで、挟持プレート６３による挟持力を変更することができ、緩めることで保持部７をフリー回動状態にし、締め付けることで保持部７をその位置で固定することができる。また、保持部７には、回動ストッパ６５が取り付けられており、上記したように、操作部７が±３０度に回動したときに回動基部８に当て付いて回動を規制するようにしている。
【００２１】
前記保持部７の一側面７ａには、バリアシート２０を着脱可能に支持する支持部材６が取り付けられている。本実施形態の支持部材６は、前記一側面７ａに対して、一定間隔を置いて取り付けられる２本のロッド６Ａを備えた構成となっている。各ロッド６Ａは、図８（ａ）（ｂ）に示すように、前記一側面７ａに形成された嵌合穴７ｂに差し込まれて固定されている。この場合、嵌合穴７ｂは、それぞれロッド６Ａが取り付けられた際に、各ロッドの間に患者が位置するように保持部７に形成されている。このため、保持部７の長さは、２５０〜３００ｍｍ程度あれば良い。
【００２２】
保持部７に取り付けられるロッド６Ａの長さは、図１に示すように、患者の上半身領域をカバーできる程度であれば良く、図２に示すように、先端に移行するに連れて離間するように取り付けられることが好ましい。すなわち、嵌合穴７ｂの軸方向は、図８（ｂ）に示すように、保持部７の水平軸に対して一定角度θ（１０５度から１２０度程度）傾けておき、ロッド６Ａが固定された際、先端側が離間する（幅広になる）ように形成されている。これにより、ロッド６Ａにバリアシート２０を支持した際、先端側が幅広になることで、患者の足側の開口領域が広くなり、治療器具等をバリアシート内部に挿入し易くすることができる。
【００２３】
また、各嵌合穴７ｂは、ロッド６Ａを水平方向に支持しても良いが、その先端が所定角度α（１０度から１５度程度）上昇するように支持する（図８（ａ）に示すように、各嵌合穴７ｂを水平方向に対して所定角度α上昇するように形成する）ことが好ましい。すなわち、各ロッド６Ａに対しては、図１，図２に示すように、バリアシート２０を覆い被せた（装着した）際、患者２００との間に一定間隔を維持するものであるが、ロッド６Ａが水平方向に取り付けられると、そこに支持されるバリアシート２０の上面部２０Ｂが水平になってしまい、水滴がそのまま患者にかかる可能性がある。これに対し、先端が上昇するロッド６Ａにバリアシートを取り付けることで、バリアシート２０の上面部２０Ｂの内面に水滴が付着しても、保持部７側に伝わるようになり、患者にかかることを効果的に抑制することが可能となる。
なお、嵌合穴７ｂに嵌入されたロッド６Ａは、例えば、図８（ａ）に示すように、保持部７に形成されるネジ孔７ｂ´にネジを取り付けることで固定するようにしても良い。
【００２４】
前記保持部７に取り付けられるロッド６Ａ（支持部材６）は、バリアシート２０を支持する機能を備えており、図３（ａ）に示すようなバリアシート２０が着脱自在に設置される。バリアシート２０は、一度の使用で使い捨てされるようになっている。具体的に、バリアシート２０は、透明な樹脂製のフィルム（例えば、ポリエチレン、ポリプロピレン、塩化ビニール等）で構成することができ、そのようなフィルムシートを図３（ａ）の展開図で示すように裁断し、所定の位置を折り曲げることで、図３（ｂ）に示すように、患者の両側に位置する側面部２０Ａ、患者の上側に位置する上面部２０Ｂ、患者の頭部側に位置する正面部２０Ｃが形成される。
【００２５】
この場合、バリアシート２０は、支持部材６（ロッド６Ａ）に設置し易いように、側面部２０Ａと上面部２０Ｂとの間に折れ目２０ａを形成し、上面部２０Ｂと正面部２０Ｃとの間に折れ目２０ｂを形成しておくことが好ましい。すなわち、折れ目２０ａ部分をロッド６Ａ上に位置合わせして側面部２０Ａを垂下させると共に、折れ目２０ｂ部分を折りながら正面部２０Ｃをロッド６Ａ間に垂下させることで、バリアシートを容易に図１，２，４（ａ）に示すように設置することができる。なお、各ロッド６Ａの先端位置と後端位置にクリップ２５等を取り付けることで、バリアシート２０をロッド６Ａに安定して設置することができる。
【００２６】
上記したバリアシート２０の大きさについては、仰向けになった患者２００に対して、患者の上半身を十分に覆うことができ、かつ、患者との間に圧迫感を生じさせない一定の距離が確保されていれば良い。具体的には、各ロッド間の基端部における離間距離Ｌ１は、２５０±３０ｍｍ程度、バリアシートの側面部２０Ａ及び正面部２０Ｃの高さＬ２は、６００±３０ｍｍ程度、上面部２０Ｂの長手方向の長さＬ３は、４７０±３０ｍｍ程度、確保されていれば良い。また、本実施形態では、上記したようにロッド６Ａの先端が互いに離間するように傾斜角度θが１１０°程度、確保されているため、側面部２０Ａの長手方向の長さＬ４は、５００±３０ｍｍ程度、確保されている。
【００２７】
前記バリアシート２０には、歯科医や歯科衛生士が腕を挿入し、その手が患者の口腔内にアクセスし易いように、開口部２２が形成されている。本実施形態の開口部２２は、両側面部２０Ａに形成されており、この部分から腕を差し込んで、仰向け状態の患者２００の口腔内にアクセスできるようにしている。この場合、歯科治療用の各種器具は、この開口部２２から挿入しても良いが、患者の足側のバリアシート２０の開口領域から挿入したり、或いは、垂下している側面部２０Ａ、正面部２０Ｃをめくりあげて挿入しても良い。すなわち、一方の手で器具を掴んで開口領域やめくりあげた部分から挿入し、他方の手を開口部２２に差し込んで、挿入した器具を掴むことで、患者の口腔部に対して治療を行なうことが可能となる。
【００２８】
前記開口部２２については、バリアシート２０をくり抜いて形成しても良いが、図に示すようにスリット形状にすることで、治療中の飛散物が側面部２０Ａから外部に漏れることを効果的に防止することができる。また、開口部２２を形成する位置については限定されることはなく、診断、治療行為が行い易いように、１つの側面部に複数形成しても良いし、上面部２０Ｂに形成しておいても良い。
【００２９】
上記したような隔離装置１によれば、図１及び図２に示すようい、透明なバリアシート２０が、歯科診察台１００上で仰向け状態の患者２００の上半身に対して一定間隔を置いた状態で覆うように設置される。バリアシート２０の高さは、上記したロック機構４０によってロッド５Ａの位置を設定することで調節することができ、最適な位置にセットすることができる。
【００３０】
歯科医（歯科衛生士）は、バリアシート２０の開口部２２を介して手を挿入し、患者の口腔内に各種の治療器具を挿入して治療、診断することができる。その治療中、水滴やエアが飛散しても、バリアシート２０によって抑えられるため、感染等の問題が生じることはない。特に、歯科診察台１００が隣接して設置されていても、隣の歯科診察台へ水滴などが飛散することが防止される。
【００３１】
また、保持部７は、上記した水平回動機構６０によって、水平面内で所定角度回動可能に支持されているため、設置部４の設置状態に関係なく、保持部７を最適な位置にセットすることができ、歯科診察台１００の周りの設置スペースにとらわれることなく、設置部４の向きを変えて使用することができる。なお、バリアシート２０は、軽量であるため、保持部７の位置に関係なく、安定して使用することができる。
【００３２】
さらに、保持部７は、上記した回動機構５０によって水平軸周りに回動可能に支持されているため、患者が口をすすいだり、診療が終わるとき等、歯科診察台１００の背板部１０２を起立状態に回動させさせても、保持部７（回動基部８）を９０度回動させて、ロッド６Ａを、図４（ａ）で示す使用状態から図４（ｂ）に示すように起立状態（非使用状態）にすることで、バリアシート２０は、ロッド６Ａと共に上方に回動され、起き上がる患者と干渉することもない。
【００３３】
図９及び図１０は、本考案の第２の実施形態を示す図であり、図９（ａ）は仰向けの患者に対する設置状態を示す図、図９（ｂ）はバリアシートを回動した状態を示す図、図１０（ａ）は図９に示す隔離装置の支持部材及び保持部の構成を示す図、図１０（ｂ）は保持部を三脚に取り付けた状態を示す図である。
なお、以下の実施形態で、上記した実施形態と同様な構成要素については、同一の参照符号を付し、詳細な説明は省略する。
【００３４】
上記した実施形態では、バリアシート２０を支持する支持部材６を基台３（保持部７）に取り付けたが、本実施形態では基台を三脚３０として構成している。ここでの三脚３０は、一般的に知られている映像機器（カメラ、ビデオ等）用の三脚を用いることができ、そのような三脚は、公知のように、映像機器のケーシングの下端面に形成されている螺子穴を螺合させる着脱ネジ（雄螺子部）が形成された台座（雲台）３１を備えている。
【００３５】
前記三脚は、公知のように、クランクハンドル（図示せず）等を回転操作することで、台座３１が取り付けられたエレベータ３３の伸縮量を調節でき、また、各脚３４の長さを調節することで、高さ位置を変位させて固定することができる。すなわち、台座３１の高さについては、任意の位置に固定することができる。更には、前記台座３１は、パンハンドル３５を回転、回動することで、水平軸周りの任意の位置に固定できると共に、水平面内で回動できるように構成されている（この構造については、周知であるため、説明は省略する）。
【００３６】
前記三脚３０の台座３１には、隔離装置１Ａを構成する保持部１７が着脱可能に取り付けられる。前記保持部１７は、棒状体（本実施形態では角柱体）として構成されており、その一側面１７ａには、前記台座３１の着脱ネジが螺合可能な雌螺子部１７ｂが形成されている。この場合、雌螺子部１７ｂは、保持部１７の中央に形成しておけば良いが、図１０（ａ）に示すように、長手方向に沿って、一定間隔を置いて複数形成しておいても良い。すなわち、雌螺子部１７ｂを複数形成することで、歯科診察台の周囲の状況等に応じて、最適な雌螺子部１７ｂを選択して台座３１に取り付け、患者に対して適切な位置に隔離装置１Ａを設置することが可能となる。
なお、図面では、雌螺子部１７ｂを保持部１７の上面と下面の両側に設けているが、雌螺子部１７ｂは下面（一側面１７ａ）のみに形成しておいても良い。
【００３７】
前記保持部１７の一側面１７ａと略９０°屈曲した他側面１７ｃには、第１実施形態と同様、バリアシート２０を着脱可能に支持する支持部材１６（２本のロッド１６Ａ）が一定間隔を置いて取り付けられている。各ロッド１６Ａは、前記他側面１６ｃに形成された嵌合穴に差し込むことで固定可能となっており、図１０に示すように、両ロッド１６Ａは、第１実施形態と同様、先端側が開くように固定されている。なお、上記したように、台座３１は、水平軸周りに回動して任意の位置に固定できるので、保持部１７に対して水平状態にロッド１６Ａを取り付けても、台座３１の回動によって、先端側を上昇させることができる。
【００３８】
前記ロッド１６Ａの保持部１７に対する固定方法については、特に限定されることはないが、上記したように差し込みにすることで軽量化を図ることが可能となる。或いは、各ロッド１６Ａは、保持部１７に対して、水平面内で開状態／閉状態となるように回動可能に一体化しても良い。
【００３９】
上記した隔離装置１Ａは、一般的な三脚３０を利用することができ、保持部１７に設けた雌螺子部１７ｂを台座３１に取り付けることで、第１実施形態と同様、図９（ａ）のような使用状態、及び、台座３１部分を回動させて、図９（ｂ）のような非使用状態にすることが容易にでき、ユニットとして簡素化することが可能となる。なお、上記した三脚については、隔離装置専用のものとして作成しても良い。
【００４０】
図１１（ａ）〜（ｃ）は、第２実施形態の変形例を示す図であり、実際に診断、治療行為をする上で、その操作性を考慮した構成例を示している。
この三脚３０及び隔離装置１Ｂは、奥側に歯科医が位置し、手前側に歯科衛生士が位置することを想定している。
【００４１】
この変形例の保持部１７Ａは、第２実施形態の保持部１７に対して長さを半分程度（１２０〜１５０ｍｍ程度）に形成して、台座３１に取り付けた際、歯科医側に突出しないようにしている。また、手前側のロッド１６Ｂは、直線状ではなく、上方に湾曲するように形成している。
【００４２】
このように、歯科医側の保持部１７Ａの突出を無くすことで、歯科医が動き易くなると共に、患者により近づくことができ、診断、治療行為が容易に行えるようになる。また、歯科衛生士は、治療中に、患者の口腔内にバキュームを掛けることがあり、そのチューブは、操作時に上方に向けて伸びることから、手前側のロッド１６Ｂを上方に湾曲させることで、チューブがロッドに邪魔されることなく、吸引機を口腔内に挿入する等、操作性の向上を図ることができる。この場合、ロッド１６Ａ，１６Ｂに、上記した実施形態と同じ大きさのバリアシート２０を設置しても、多少、緩んだ状態に設置することができるため、バリアシートがめくり易くなり、診断、治療行為の操作性の向上が図れるようになる。
【００４３】
以上、本考案の実施形態について説明したが、本考案は、上述した実施形態に限定されることはなく、その要旨を逸脱しない範囲で種々変形して実施することが可能である。  
本考案は、歯科診察台に仰向けになった状態で治療を受ける患者の上半身に対して、一定間隔をおいて透明なバリアシート２０を設置し、バリアシート２０の開口部２２を介して治療などが行なえる構成になっていれば、各構成要素については種々変形することができる。例えば、上記した隔離装置１の基台の構成、隔離装置１Ａの三脚の構成、支持部材（ロッド）の構成、支持部材に対するバリアシート２０の設置の仕方、ロック機構、回動機構、水平回動機構等については、適宜、変形することが可能である。また、支持部材６，１６は、保持部７，１７と共に一体化された構成であっても良い。
【００４４】
また、上記したバリアシートは、仰向けの患者の上半身を覆う長さに形成されていたが、図３（ａ）に示す長さＬ３については、仰向けになった状態の患者の首部（肩部）から上側の領域を覆うような長さであっても良い。このようなバリアシートによれば、歯科医（歯科衛生士）は、支持されたバリアシートの下方側の開口を介して、各種の器具を患者の口腔内に挿入することが可能になるため、上記した実施形態のように、バリアシート２０に開口部２２を形成しなくても、治療、診断を行なうことが可能となる。また、バリアシートは、正面部に垂下させない構成であっても良い。
【符号の説明】
【００４５】
１，１Ａ  隔離装置
３  基台
６Ａ，１６Ａ，１６Ｂ  ロッド（支持部材）
７，１７  保持部
２０  バリアシート
２２  開口部
３０  三脚
４０  ロック機構
５０  回動機構
６０  水平回動機構
１００  歯科診察台
【図１】
0003228808.tif 000003
【図２】
0003228808.tif 000004
【図３】
0003228808.tif 000005
【図４】
0003228808.tif 000006
【図５】
0003228808.tif 000007
【図６】
0003228808.tif 000008
【図７】
0003228808.tif 000009
【図８】
0003228808.tif 000010
【図９】
0003228808.tif 000011
【図１０】
0003228808.tif 000012
【図１１】
0003228808.tif 000013